(57)【要約】      （修正有）【課題】縫製製品の着用者にＩＣチップの組み込みを意識させないようにすることが可能な縫製製品取付け用のＩＣチップ付布製ケアラベルを提供する。【解決手段】ホットメルトフィルムなどの接着剤でアンテナ付ＩＣチップを布製ケアラベルに貼り合わせる。【選択図】なし【特許請求の範囲】
【請求項１】
印刷層を有し、かつアンテナ付ＩＣチップを貼り合わせることからなる布製ケアラベル。
【請求項２】
ポリエステル、ナイロン、ポリウレタン、アクリル等の合成繊維、アセテート、トリアセテート等の半合成繊維、レーヨン、ポリノジック、キュプラ等の再生繊維、綿、毛、絹等の天然繊維を繊維基材とする請求項１に記載の布製ケアラベル。
【請求項３】
表皮印刷層がポリウレタン、ナイロン、アクリル樹脂又はフィルムからなり繊維基材上に形成されることからなる請求項１に記載の布製ケアラベル。
【請求項４】
ポリエステル、ポリエチレン、カプトン等有機高分子フィルムにより両面をラミネート保護されたアンテナ付ＩＣチップからなる請求項１に記載の布製ケアラベル。
【請求項５】
ポリウレタン系、ポリアミド系、ポリエステル系、ＥＶＡ系、ポリオレフィン系、エチレン・酢酸ビニル系、アクリル系、スチレン系、エラストマー系等有機高分子のホットメルトフィルム、またはこれら成分からなる接着剤、粘着剤を使用してアンテナ付ＩＣチップを貼り合わせることからなる請求項１に記載の布製ケアラベル。
【請求項６】
表皮印刷層に印刷された破線部分で切り取ることにより布製ケアラベルからアンテナ付ＩＣチップを取り外すことができる請求項1に記載の布製ケアラベル。
【発明の詳細な説明】
【技術分野】
【０００１】
本発明は、水性及び油性インク液を使用する印字機による印刷法、または熱転写インクフィルムを使用する熱転写印刷機による印刷法に使用されると同時にＩＣチップを取り付けた布製ケアラベルに関するものである。
【背景技術】
【０００２】
従来より、衣料品等の縫製製品（以下縫製製品と記載する）の流通・在庫管理用途には縫製製品についている紙タグ上のバーコードをスキャナーで読み取る方式が採用されてきたが、最近ではより多くの情報量を入力することが可能なＩＣチップを縫製製品にとりつけ、流通管理、店舗内の在庫管理等への利用取り組みがすすんでいる。
【０００３】
なおこの種の技術に関するものとして、特許文献１に記載された技術がある。
【０００４】
【特許文献１】特開平１１−１５３７７号公報
【発明の開示】
【発明が解決しようとする課題】
【０００５】
上記従来技術によれば、紙タグ等へのＩＣチップ組み込みは、故意によりタグがとられてしまった場合、使用が不可能になる。とられないためには縫製製品外観上、ＩＣチップがついていないように見える必要がある。また、縫製製品内部に取り付ける場合であっても着用した際にＩＣチップが入っていることを着用者が感じることがないようにする必要がある。
【０００６】
一方、縫製製品の流通管理や店舗内の在庫管理に使用する場合は、アンテナ付ＩＣチップが取り付けてある場所が簡単に特定できる必要がある。さらに、着用者が縫製製品購入後、個人のプライバシーを保護するためにも縫製製品の外観を乱すことが無くＩＣチップを取り外すことができるようにしておかねばならない。
【課題を解決するための手段】
【０００７】
本発明は、これらの点を改善し、アンテナ付ＩＣチップを組み込んだ布製ケアラベルを提供するものである。
【発明の効果】
【０００８】
ケアラベルは縫製製品購入後の消費者による取り扱い方法を表示するために全ての縫製製品に取り付けることが義務付けられており、この部分にＩＣチップを取り付けることは製造者にとっては製造工程を追加する必要がない利点がある。また、販売店にとってもＩＣチップがついている箇所が比較的特定しやすく、在庫管理等に利用しやすい利点がある。一方、消費者にとっても従来よりなじみの深い部分にＩＣチップが取り付けられるため、着用時に違和感がない利点もある。
【発明を実施するための最良の形態】
【０００９】
本発明のベースとなる布製ケアラベルの実施形態について述べる。繊維基材としてはポリエステル・ナイロン・ポリウレタン・アクリル等の合成繊維、アセテート・トリアセテート等の半合成繊維、レーヨン・ポリノジック・キュプラ等の再生繊維、綿・毛・絹等の天然繊維を便宜使用することができる。またこれら繊維素材の混紡、もしくは交織であってもよい。
【００１０】
予め片面に接着層が形成されたポリエステル繊維基材に１００%モジュラスが４０〜２００Ｋｇ／ｃｍ２である熱可塑性ポリウレタン樹脂を極性有機溶剤液で溶解して当該接着層に重ね塗布し、次いで温水中でゲル化させてから水洗、乾燥することにより、表面剥離強度と接着強度にすぐれた微多孔質で厚みが３０〜７０μｍの皮膜を形成する。当該接着層は熱可塑性ポリウレタン樹脂からなりポリイソシアネート架橋剤を０．３〜２重量％含有せしめて極性有機溶剤液で溶解して塗布し、ついで温水中でゲル化させてから、水洗、乾燥することから形成される厚みが５〜１５μｍの微多孔質皮膜である。
【００１１】
また、本発明のベースとなる布製ケアラベルの別の製造法の実施形態について述べる。離型紙を用い、当該離型紙上に熱可塑性ポリウレタン樹脂、白色顔料、極性有機溶媒からなる有機溶剤溶液をコーティングし有機溶剤を乾燥してポリウレタン樹脂層を形成する。当該ポリウレタン樹脂層の上に熱可塑性ポリウレタン樹脂、ポリイソシアネート架橋剤、反応促進剤、極性有機溶媒からなる有機溶剤溶液をコーティングし、乾燥する。転写方式でポリエステルに貼り合わせ、エージング完了後離型紙を剥離して布製ケアラベルを得る。
【００１２】
本発明に使用するアンテナ付ＩＣチップの実施形態について述べる。ＩＣチップには０．３〜０．４ｍｍ角の１２８ビットのものを使用する。ＩＣチップ単独であるとスキャナーをほぼ接触させないと読み取ることができないが、ＩＣチップにアンテナをつけることにより、スキャナーでの読み取り可能距離を伸ばすことができる。また、事前にポリエステルフィルム、カプトンフィルム、ポリエチレンフィルム等の耐薬品性、耐衝撃性の高い有機高分子フィルムを使用してアンテナ付ＩＣチップの両面をラミネートすることにより、アンテナ付ＩＣチップが直接水、空気に触れることがなく、洗濯、ドライクリーニング、リネン洗濯等の縫製製品洗い加工にも耐えることができる。
【００１３】
アンテナ付ＩＣチップを布製ケアラベルに貼り付けるには各種接着剤が使用できるがホットメルトフィルムが最も使いやすい。使用ができるホットメルトフィルムとしてはポリウレタン系、ポリアミド系、ポリエステル系、ＥＶＡ系、ポリオレフィン系、エチレン・酢酸ビニル系、アクリル系、スチレン系、エラストマー系等があげられる。また、これらの系の接着剤、粘着剤を使用してもよい。
【００１４】
使用するホットメルトフィルムの融点は６０〜２４０℃、好ましくは１２０〜１６０℃である。融点がこの温度域以下であるとリネン洗濯の乾燥時にアンテナ付ＩＣチップがケアラベルからはがれてしまう恐れがある。逆に融点がこの温度域より高いと布製ケアラベル表皮層の熱可塑性ウレタン樹脂が熱プレス時に溶解してしまう恐れがある。
【００１５】
これらのホットメルトフィルムを利用してアンテナ付ＩＣチップを布製ケアラベルに貼り付ける条件を示す。布製ケアラベルとアンテナ付ＩＣチップの間にホットメルトフィルムを挟みこむ。熱プレス機を使用して貼り付ける。熱プレス部には熱により溶け出したホットメルト樹脂がつかないようにあらかじめテフロン(登録商標)処理を施しておく。
【００１６】
熱プレス条件としては、プレス部分の加熱温度８０〜２６０℃、好ましくは１５０〜１９０℃の範囲で、圧力０．５〜５．０ｋｇ／ｃm2、好ましくは２．０〜４．０ｋｇ／ｃm2の条件で溶融させ基布に接着する。このときのプレス時間は１〜３０秒、好ましくは５〜１５秒である。このプレス条件の上限におさめないとＩＣチップが壊れてしまう恐れがある。逆に、このプレス条件の下限以下であると充分ホットメルトフィルムが溶融せず、アンテナ付ＩＣチップが布製ケアラベルに貼り付かない恐れがある。
【実施例】
【００１７】
次に実施例をあげて本発明を更に詳しく説明する。
【００１８】
実施例１ではまず表皮印刷層の形成方法について述べる。ポリエステル織布（ポリエステル１００％、経糸５０ｄ／２４ｆ、緯糸７５ｄ／３６ｆのタフタ）を用意し、これに通常の方法で精練及びセットを行なった後、フッ素系撥水剤エマルジョンの３％水溶液でパディング（絞り率３５％）し、１３０℃にて１分間の熱処理を行なった。次に、下記処方Ａに示す樹脂溶液をフローティングナイフコーターを使用して形成される皮膜厚みが１０μｍとなるように塗布した後、温水中でゲル化、湯洗、乾燥させた。 続いて、下記処方Ｂに示す樹脂溶液をナイフオーバーロールコーターを使用して形成される皮膜厚みが５０μｍとなるように塗布した後、温水中に２分間浸漬し、樹脂分をゲル化させた。続いて温水中で１０分間洗浄した後乾燥を行ない本発明に使用する布製ケアラベルを得た。
処方Ａ：熱可塑性ポリウレタン樹脂１００重量部（１００％モジュラス：３５Ｋｇ／ｃｍ２）、ポリイソシアネート架橋剤１．５重量部、ジメチルホルムアミド ５０重量部
処方Ｂ：熱可塑性ポリウレタン樹脂１００重量部（１００％モジュラス：９０Ｋｇ／ｃｍ２）、非イオン系界面活性剤２重量部、ジメチルホルムアミド５０重量部。
【００１９】
次にアンテナ付ＩＣチップ貼り付け方法について述べる。ホットメルトフィルムにはポリエステル系、融点１２０℃のものを使用する。当該ホットメルトフィルムを布製ケアラベルの繊維基材面と、両面をポリエステルフィルム（厚さ１００μｍ）でラミネートしたアンテナ付ＩＣチップの間に挟みこむ。プレス温度１９０℃、プレス圧３ｋｇ／ｃm2、プレス時間１５秒の条件で試料１を作成した。本試料を綿シャツにミシンで縫いつけ、家庭用洗濯機で２０回の洗濯試験を行った。試験後の試料を取り出し確認してみたところ、試験後においてもアンテナ付ＩＣチップは剥離していなかった。また、スキャナーをかざしてみるとＩＣチップの情報も読み出すことができた。
【００２０】
実施例２として実施例１で作成した試料をドライクリーニング２０回の洗濯試験を行った。試験後の試料を取り出し確認してみたところ、試験後においてもアンテナ付ＩＣチップは剥離していなかった。また、スキャナーをかざしてみるとＩＣチップの情報も読み出すことができた。
【００２１】
実施例３として実施例１で作成した試料をリネン洗濯試験（８０℃に熱した次亜塩素酸ナトリウム水溶液２％水溶液に2時間浸漬）を行った。試験後の試料を取り出し確認してみたところ、試験後においてもアンテナ付ＩＣチップは剥離していなかった。また、スキャナーをかざしてみるとＩＣチップの情報も読み出すことができた。
【００２２】
実施例４として本発明のアンテナ付ＩＣチップ付布製ケアラベルは店舗内の在庫管理へ利用できる。レジＰＯＳシステムと連動し、納入時、販売時の情報を速やかにコンピューターに登録し、いつでも店舗内の商品数が把握できる。
【００２３】
実施例５として縫製製品の流通管理に利用できる。すなわち製品発送時、納入時、返品時にＩＣチップ内のデータを読み取り、製品の所在、数量、サイズが即座に確認することが可能となる。
【００２４】
実施例６として縫製製品の返品管理に利用することができる。すなわち消費者クレームによる返金事例が生じた場合でも、個々の縫製製品の販売時期が特定できるため、仮に販売時の領収書が破棄されていたとしても販売データと照合することにより正確な返金額が速やかに確認できる。
【００２５】
実施例７として縫製製品の真贋判定に利用できる。すなわち顧客が店舗に商品を持ち込んできた際にその店舗で販売したものか、偽造品でないか、が速やかに確認できる。
【００２６】
実施例８としてリネン洗濯管理に使用することができる。すなわち、個々の縫製製品に個別の情報が書き込まれているため、個々の製品の洗濯回数を特定することができ、製品の廃棄時期の特定に利用が可能である。
【００２７】
実施例９として表皮層に破線を２本印刷し、その間の部分の裏面にアンテナ付ＩＣチップをホットメルトフィルムで貼り付ける。着用者は破線部分をはさみで切り取ることによって縫製製品からアンテナ付ＩＣチップを取り外すことができ、縫製製品の外観を乱すことも無い。